(57)【要約】      （修正有）【課題】インフレータブル物品全体が光り、面白さが増す発光エアプラグを提供する。【解決手段】発光エアプラグはトリガースイッチ１０、回路基板２０、弾性接続ワイヤー３０、およびケーシングを含み、回路基板に少なくとも１つのＬＥＤランプビーズ２１が設けられ、ＬＥＤランプビーズは回路基板に電気接続され、弾性接続ワイヤーの一端は回路基板に固定接続され、他端はトリガースイッチに固定接続され、トリガースイッチは回路基板に電気接続され、回路基板はケーシング内に収容されて固定接続され、弾性接続ワイヤーとトリガースイッチは可動的にケーシング内に収容される。発光エアプラグはインフレータブル物品の空気入口内に取り付けられ、インフレータブル物品が振動するとトリガースイッチがアクティブになり、ＬＥＤランプビーズをアクティブにして発光させる。【選択図】図１
0003229554.tif 000002
【実用新案登録請求の範囲】
【請求項１】
トリガースイッチ、回路基板、弾性接続ワイヤー、およびケーシングを含み、前記回路基板上に少なくとも１つのＬＥＤランプビーズが設けられ、前記ＬＥＤランプビーズは前記回路基板に電気的に接続され、前記弾性接続ワイヤーの一端は前記回路基板に固定的に接続され、前記弾性接続ワイヤーの他端は前記トリガースイッチに固定的に接続され、前記トリガースイッチは前記回路基板に電気的に接続され、前記回路基板は前記ケーシング内に収容されて前記ケーシングに固定的に接続され、前記弾性接続ワイヤーと前記トリガースイッチは可動的に前記ケーシング内に収容される、ことを特徴とする発光エアプラグ。
【請求項２】
前記ケーシングは第１の筐体と第２の筐体を含み、前記第２の筐体は部分的に前記第１の筐体内に収容され、前記第１の筐体にねじ込まれることを特徴とする請求項１に記載の発光エアプラグ。
【請求項３】
前記第１の筐体内に第１の収納溝が設けられ、前記回路基板は前記第１の収納溝に収容され、前記第１の筐体に固定的に接続され、前記弾性接続ワイヤーと前記トリガースイッチは可動的に前記第１の収納溝内に収容される、ことを特徴とする請求項２に記載の発光エアプラグ。
【請求項４】
前記第１の筐体に環状取付台がさらに設けられ、前記環状取付台は前記第１の収納溝内に収容され、前記第１の筐体に固定的に接続され、前記回路基板は前記環状取付台に固定的に接続され、前記回路基板は前記トリガースイッチを覆う、ことを特徴とする請求項２に記載の発光エアプラグ。
【請求項５】
前記発光エアプラグは電池をさらに含み、前記第２の筐体内に前記電池の形状に適合する第２の収納溝が設けられ、前記第２の収納溝は前記第１の収納溝と連通し、前記電池は前記第２の収納溝内に収容され、前記電池は前記回路基板に電気的に接続されることを特徴とする請求項３に記載の発光エアプラグ。
【請求項６】
前記第２の筐体の頂部にカバープレートが設けられ、前記カバープレートは前記第２の筐体を覆うことを特徴とする請求項２に記載の発光エアプラグ。
【請求項７】
前記カバープレート上に十字形の溝が設けられることを特徴とする請求項６に記載の発光エアプラグ。
【請求項８】
前記第１の筐体の底部は縮小して案内部を形成し、前記案内部と前記第１の筐体の間に滑らかな傾斜面が設けられることを特徴とする請求項２に記載の発光エアプラグ。
【請求項９】
前記第１の筐体と前記第２の筐体は、透光性材料からなることを特徴とする請求項２に記載の発光エアプラグ。
【請求項１０】
前記第１の収納溝の内壁に雌ねじが設けられ、前記第２の筐体上に雄ねじが設けられ、前記雌ねじと前記雄ねじにより前記第１の筐体は前記第２の筐体にねじ込まれることを特徴とする請求項３に記載の発光エアプラグ。
【考案の詳細な説明】
【技術分野】
【０００１】
本考案は、おもちゃの分野に属し、特に発光エアプラグに関する。
【背景技術】
【０００２】
エアプラグは、インフレータブル物品（例えば、インフレータブルボールやインフレータブルおもちゃ）の空気入口をブロックするために使用される。エアプラグは、空気入口をブロックして、インフレータブル物品内のガスが空気入口から排出しないようにしているが、既存のエアプラグは空気入口をブロックする機能しか持たないので、機能が単一で興味が持たれていない。
【考案の概要】
【０００３】
上記の問題を解決するために、本考案は発光エアプラグを提案する。
本考案は、以下の技術的解決策によって実現される。
【０００４】
本考案は発光エアプラグを提案し、前記発光エアプラグはトリガースイッチ、回路基板、弾性接続ワイヤー、およびケーシングを含み、前記回路基板上に少なくとも１つのＬＥＤランプビーズが設けられ、前記ＬＥＤランプビーズは前記回路基板に電気的に接続され、前記弾性接続ワイヤーの一端は前記回路基板に固定的に接続され、前記弾性接続ワイヤーの他端は前記トリガースイッチに固定的に接続され、前記トリガースイッチは前記回路基板に電気的に接続され、前記回路基板は前記ケーシング内に収容されて前記ケーシングに固定的に接続され、前記弾性接続ワイヤーと前記トリガースイッチは可動的に前記ケーシング内に収容される。
さらに、前記ケーシングは第１の筐体と第２の筐体を含み、前記第２の筐体は部分的に前記第１の筐体内に収容され、前記第１の筐体にねじ込まれる。
【０００５】
さらに、前記第１の筐体内に第１の収納溝が設けられ、前記回路基板は前記第１の収納溝に収容され、前記第１の筐体に固定的に接続され、前記弾性接続ワイヤーと前記トリガースイッチは可動的に前記第１の収納溝内に収容される。
【０００６】
さらに、前記第１の筐体に環状取付台がさらに設けられ、前記環状取付台は前記第１の収納溝内に収容され、前記第１の筐体に固定的に接続され、前記回路基板は前記環状取付台に固定的に接続され、前記回路基板は前記トリガースイッチを覆う。
【０００７】
さらに、前記発光エアプラグはさらに電池を含み、前記第２の筐体内に、前記電池の形状に適合する第２の収納溝が設けられ、前記第２の収納溝は前記第１の収納溝と連通し、前記電池は前記第２の収納溝内に収容され、前記電池は前記回路基板に電気的に接続される。
さらに、前記第２の筐体の頂部にカバープレートが設けられ、前記カバープレートは前記第２の筐体を覆う。
さらに、前記カバープレート上に十字形の溝が設けられる。
さらに、前記第１の筐体の底部は縮小して案内部を形成し、前記案内部と前記第１の筐体の間に滑らかな傾斜面が設けられる。
さらに、前記第１の筐体と前記第２の筐体は、透光性材料からなる。
【０００８】
さらに、前記第１の収納溝の内壁に雌ねじが設けられ、前記第２の筐体に雄ねじが設けられ、前記雌ねじと前記雄ねじの嵌合により、前記第１の筐体は前記第２の筐体にねじ込まれる。
本考案の有益な効果は以下の通りである。
【０００９】
本考案によって提案される発光エアプラグ内に、トリガースイッチとＬＥＤランプビーズが設けられ、本発光エアプラグはインフレータブル物品の空気入口内に取り付けられ、インフレータブル物品は振動してトリガースイッチをアクティブにし、トリガースイッチがＬＥＤランプビーズをアクティブにして発光させることで、インフレータブル物品全体が光るようになり、さらにインフレータブル物品の面白さが増す。
【図面の簡単な説明】
【００１０】
【図１】本考案の発光エアプラグの分解図である。
【図２】本考案の発光エアプラグの第１の筐体の斜視図である。
【図３】本考案の発光エアプラグの斜視図である。
【図４】本考案の発光エアプラグの概略回路図である。
【考案を実施するための形態】
【００１１】
本考案の技術的解決策をより明確かつ完全に説明するために、以下図面を参照して本考案をさらに説明する。
【００１２】
図１〜図４を参照すると、本考案は発光エアプラグを提案し、前記発光エアプラグはトリガースイッチ１０、回路基板２０、弾性接続ワイヤー３０、およびケーシング４０を含み、前記回路基板２０上に少なくとも１つのＬＥＤランプビーズ２１が設けられ、前記ＬＥＤランプビーズ２１は前記回路基板２０に電気的に接続され、前記弾性接続ワイヤー３０の一端は前記回路基板２０に固定的に接続され、前記弾性接続ワイヤー３０の他端は前記トリガースイッチ１０に固定的に接続され、前記トリガースイッチ１０は前記回路基板２０に電気的に接続され、前記回路基板２０は前記ケーシング４０内に収容されて前記ケーシング４０に固定的に接続され、前記弾性接続ワイヤー３０と前記トリガースイッチ１０は可動的に前記ケーシング４０内に収容される。
【００１３】
本実施形態では、前記ＬＥＤランプビーズ２１の数は２つであり、２つの前記ＬＥＤランプビーズ２１は同時にまたは別々に間隔を置いて発光することができ、前記トリガースイッチ１０は振動スイッチであり、前記弾性接続ワイヤー３０は金属線であり、前記弾性接続ワイヤー３０と前記トリガースイッチ１０は可動的に前記ケーシング４０内に収容されるので、前記弾性接続ワイヤー３０は前記ケーシング４０内でスイングすることができ、前記トリガースイッチ１０は前記ケーシング４０内でスイングすることができ、前記発光エアプラグがインフレータブル物品の空気入口をブロックした後、インフレータブル物品が振動すると、インフレータブル物品の振動に従い前記トリガースイッチ１０が振動し、前記トリガースイッチ１０がアクティブになり、前記トリガースイッチ１０が前記ＬＥＤランプビーズ２１をアクティブにして発光させることで、インフレータブル物品全体が光るようになり、さらにインフレータブル物品の面白さが増す。
【００１４】
さらに、前記ケーシング４０は、第１の筐体４１と第２の筐体４２を含み、前記第２の筐体４２は部分的に前記第１の筐体４１内に収容され、前記第１の筐体４１にねじ込まれ、前記第１の筐体４１内に第１の収納溝４１１が設けられ、前記回路基板２０は前記第１の収納溝４１１内に収容され、前記第１の筐体４１に固定的に接続され、前記弾性接続ワイヤー３０と前記トリガースイッチ１０は可動的に前記第１の収納溝４１１内に収容される。
【００１５】
本実施形態では、前記弾性接続ワイヤー３０と前記トリガースイッチ１０は可動的に前記第１の収納溝４１１内に収容され、前記弾性接続ワイヤー３０は前記第１の収納溝４１１内でスイングでき、前記トリガースイッチ１０は前記第１の収納溝４１１内でスイングすることができる。
【００１６】
さらに、前記第１の筐体４１に環状取付台４１２がさらに設けられ、前記環状取付台４１２は前記第１の収納溝４１１内に収容され、前記第１の筐体４１に固定的に接続され、前記回路基板２０は前記環状取付台４１２に固定的に接続され、前記回路基板２０は前記トリガースイッチ１０を覆う。
本実施形態では、前記回路基板２０は前記環状取付台４１２に当接し前記環状取付台４１２に固定的に接続される。
【００１７】
さらに、前記発光エアプラグはさらに電池５０を含み、前記第２の筐体４２内に前記電池５０の形状に適合する第２の収納溝４２１が設けられ、前記第２の収納溝４２１は前記第１の収納溝４１１と連通し、前記電池５０は前記第２の収納溝４２１内に収容され、前記電池５０は前記回路基板２０に電気的に接続される。
【００１８】
本実施形態では、前記電池５０は前記第２の収納溝４２１内に収容され、前記電池５０は前記回路基板２０に電気的に接続され、前記電池５０は前記ＬＥＤランプビーズ２１に電力を供給し、前記第１の筐体４１が前記第２の筐体４２にねじ込まれた後、前記電池５０の一端は前記第２の収納溝４２１の内壁に当接し、前記電池５０の他端は前記回路基板２０に当接し、前記電池５０は前記第２の収納溝４２１内に安定的に収容される。
さらに、前記第２の筐体４２の頂部にカバープレート４２２が設けられ、前記カバープレート４２２は前記第２の筐体４２を覆う。
【００１９】
本実施形態では、前記カバープレート４２２の直径は前記第２の筐体４２の直径よりも大きく、前記発光エアプラグがインフレータブル物品の空気入口をブロックした後、前記カバープレート４２２がインフレータブル物品に当接することで、前記発光エアプラグがインフレータブル物品内に滑り込むことを防止する。
さらに、前記カバープレート４２２上に十字形の溝４２３が設けられる。
本実施形態では、ドライバーと前記十字形の溝４２３の嵌合によって、前記第２の筐体４２を前記第１の筐体４１から緩めることができる。
さらに、前記第１の筐体４１の底部は縮小して案内部４１３を形成し、前記案内部４１３と前記第１の筐体４１の間に滑らかな傾斜面が設けられる。
【００２０】
本実施形態では、前記第１の筐体４１の底部は縮小して案内部４１３を形成し、前記案内部４１３を介して前記発光エアプラグをインフレータブル物品の空気入口に簡単に挿入することができる。
さらに、前記第１の筐体４１と前記第２の筐体４２は透光性材料からなる。
本実施形態では、前記ＬＥＤランプビーズ２１が発光する場合、前記ＬＥＤランプビーズ２１が発する光は前記第１の筐体４１と前記第２の筐体４２を透過する。
【００２１】
さらに、前記第１の収納溝４１１内壁上に雌ねじ４１４が設けられ、前記第２の筐体４２上に雄ねじ４２４が設けられ、前記雌ねじ４１４と前記雄ねじ４２４により、前記第１の筐体４１は前記第２の筐体４２にねじ込まれる。
本実施形態では、前記第１の筐体４１が前記第２の筐体４２にねじ込まれた後、前記第２の筐体４２は部分的に前記第１の収納溝４１１内に収容される。
【００２２】
もちろん、本考案は、他の多くの実施形態を有することもでき、本実施形態に基づいて、当業者が創造的な労働をせずに得られた他の実施形態は、すべて本考案の保護範囲に含まれる。
【図１】
0003229554.tif 000003
【図２】
0003229554.tif 000004
【図３】
0003229554.tif 000005
【図４】
0003229554.tif 000006